(57)【特許請求の範囲】
【請求項１】
予め登録されていない未登録移動局からのアクセスを制限するＣＳＧ（Closed Subscriber Group）型基地局であって、
ユーザの操作を契機として、予め登録されている登録済み移動局からのアクセスを許可する一方、未登録移動局からのアクセスを制限する通常モード、または登録を目的とした未登録移動局からのアクセスを許可する登録モードを切り替える機能と、
前記登録モードに切り替えられた状態で、未登録移動局から登録用電話番号による発呼を受信する機能と、
前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する機能と、
前記登録情報を、サーバ装置へ送信する機能と、を備えることを特徴とするＣＳＧ型基地局。
【請求項２】
予め登録されていない未登録移動局からのアクセスを制限するＣＳＧ（Closed Subscriber Group）型基地局であって、
未登録移動局から登録用電話番号による発呼を受信する機能と、
前記発呼を受信した後、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する機能と、
ユーザの操作を契機として、前記登録情報をサーバ装置へ送信する機能と、を備えることを特徴とするＣＳＧ型基地局。
【請求項３】
前記登録情報を前記サーバ装置へ送信する前に、登録確認を要求する旨の登録確認要求情報を管理者端末に送信する機能と、
前記管理者端末から登録を許可する旨の登録許可情報を受信した場合にのみ、前記登録情報を、前記サーバ装置へ送信する機能と、を備えることを特徴とする請求項１または請求項２記載のＣＳＧ型基地局。
【請求項４】
前記登録モードに切り替えられた状態で、登録済み移動局から、前記登録済み移動局の削除用電話番号、前記登録済み移動局の確認用電話番号または前記登録済み移動局の変更用電話番号による発呼を受信する機能と、
受信した前記削除用電話番号、前記確認用電話番号または前記変更用電話番号からの発呼に基づいて、その発呼を行なった前記登録済み移動局の移動局情報を抽出し、基地局情報と結合させて前記登録済み移動局の削除情報、前記登録済み移動局の確認情報または前記登録済み移動局の変更情報を生成する機能と、
前記削除情報、前記確認情報または前記変更情報を、サーバ装置へ送信する機能と、を備えることを特徴とする請求項１記載のＣＳＧ型基地局。
【請求項５】
登録済み移動局から、前記登録済み移動局の削除用電話番号、前記登録済み移動局の確認用電話番号または前記登録済み移動局の変更用電話番号による発呼を受信する機能と、
前記発呼を受信した後、受信した前記削除用電話番号、前記確認用電話番号または前記変更用電話番号からの発呼に基づいて、その発呼を行なった前記登録済み移動局の移動局情報を抽出し、基地局情報と結合させて前記登録済み移動局の削除情報、前記登録済み移動局の確認情報または前記登録済み移動局の変更情報を生成する機能と、
ユーザの操作を契機として、前記削除情報、前記確認情報または前記変更情報を、サーバ装置へ送信する機能と、を備えることを特徴とする請求項１記載のＣＳＧ型基地局。
【請求項６】
前記登録モードに切り替えられた状態で、一定時間内に前記発呼を受信しなかった場合は、前記通常モードに切り替える機能を備えることを特徴とする請求項１記載のＣＳＧ型基地局。
【請求項７】
前記発呼を受信した後、一定時間内に前記ユーザの操作が無かった場合は、前記登録情報の送信を停止する機能を備えることを特徴とする請求項２記載のＣＳＧ型基地局。
【請求項８】
予め登録されていない未登録移動局からのアクセスを制限するＣＳＧ（Closed Subscriber Group）型基地局の制御プログラムであって、
ユーザの操作を契機として、予め登録されている登録済み移動局からのアクセスを許可する一方、未登録移動局からのアクセスを制限する通常モード、または登録を目的とした未登録移動局からのアクセスを許可する登録モードを切り替える処理と、
前記登録モードに切り替えられた状態で、未登録移動局から登録用電話番号による発呼を受信する処理と、
前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する処理と、
前記登録情報を、サーバ装置へ送信する処理と、の一連の処理を、前記ＣＳＧ型基地局に実行させることを特徴とする制御プログラム。
【請求項９】
予め登録されていない未登録移動局からのアクセスを制限するＣＳＧ（Closed Subscriber Group）型基地局の制御プログラムであって、
未登録移動局から登録用電話番号による発呼を受信する処理と、
前記発呼を受信した後、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する処理と、
ユーザの操作を契機として、前記登録情報をサーバ装置へ送信する処理と、の一連の処理を、前記ＣＳＧ型基地局に実行させることを特徴とする制御プログラム。
【請求項１０】
ＣＳＧ（Closed Subscriber Group）型基地局に実装されることにより、前記ＣＳＧ型
基地局に複数の機能を発揮させる集積回路であって、
ユーザの操作を契機として、予め登録されている登録済み移動局からのアクセスを許可する一方、未登録移動局からのアクセスを制限する通常モード、または登録を目的とした未登録移動局からのアクセスを許可する登録モードを切り替える機能と、
前記登録モードに切り替えられた状態で、未登録移動局から登録用電話番号による発呼を受信する機能と、
前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する機能と、
前記登録情報を、サーバ装置へ送信する機能と、の一連の機能を、前記ＣＳＧ型基地局に発揮させることを特徴とする集積回路。
【請求項１１】
ＣＳＧ（Closed Subscriber Group）型基地局に実装されることにより、前記ＣＳＧ型
基地局に複数の機能を発揮させる集積回路であって、
未登録移動局から登録用電話番号による発呼を受信する機能と、
前記発呼を受信した後、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する機能と、
ユーザの操作を契機として、前記登録情報をサーバ装置へ送信する機能と、の一連の機能を、前記ＣＳＧ型基地局に発揮させることを特徴とする集積回路。
【発明の詳細な説明】
【技術分野】
【０００１】
本発明は、予め登録されていない未登録移動局からのアクセスを制限するＣＳＧ型基地局、制御プログラムおよび集積回路に関する。
【背景技術】
【０００２】
現在の移動体通信システムでは、現在運用されている、大型セルであるマクロセルに加えて、家庭やオフィスなどの数十メートルの小ゾーンのエリアをカバーする小セル無線通信基地局装置の設置が考えられており、このような小セル無線通信基地局装置は、ホーム基地局（Home Node B：HNB）と呼ばれている。
【０００３】
また、ＨＮＢの機能として、ＨＮＢが家庭や事業所の構内などに設置された場合、その家庭の家族などのような限られた加入者グループにだけアクセスを許可するクローズサービスグループ（Closed Subscriber Group、以下CSG）セルが構成される。
【先行技術文献】
【非特許文献】
【０００４】
【非特許文献１】マイエリアご利用ガイドブック、NTT docomo
【非特許文献２】Network Extender user manual、Verizon Wireless
【非特許文献３】Sprint Airave User Guide、Sprint Nextel
【発明の概要】
【発明が解決しようとする課題】
【０００５】
ＣＳＧの実施のためには、どの移動局がアクセス可能なのかを示す情報を保持するリストを管理し、そのリストにあらたにアクセス可能な移動局を追加する登録の手順が必要である。従来実施されてきた方法としては、例えば文献１の例では書面の郵送による登録、文献２の例ではＷｅｂ上のパスワードで保護されたページでのユーザによるデータ更新、文献３の例では（文献内には詳細は記載されていないが）、オペレータのコールセンターへの連絡を通じて、移動局の追加登録手順が行なわれてきた。
【０００６】
しかしながら、これらの方法は煩雑であり、ユーザが移動局のＩＤや、ＨＮＢの基地局ＩＤといった情報を記入する必要がある為ミスも混入しやすい。また、アクセス可能になるまでに時間もかかる事から、ＨＮＢが複数の事業所で利用されている会社で、短期的に出張中の事業所でのＨＮＢのアクセス権を設定する場合などに不都合が生じる。さらには、多数の従業員での事業所内でのＨＮＢの利用の際などの場合、多数の従業員がパスワードを共有するわけにはいかないため、特定の管理者が全従業員のアクセス権の設定を管理する必要が発生する。以上のように、様々な問題が生じ、柔軟にＣＳＧを管理することが困難であった。
【０００７】
本発明は、このような事情に鑑みてなされたものであり、ユーザが所望のＨＮＢへの所望の移動局の登録を、簡単な操作で行なうことが可能なＣＳＧ型基地局、制御プログラムおよび集積回路を提供することを目的とする。
【課題を解決するための手段】
【０００８】
（１）上記の目的を達成するために、本発明は、以下のような手段を講じた。すなわち、本発明のＣＳＧ（Closed Subscriber Group）型基地局は、予め登録されていない未登録移動局からのアクセスを制限するＣＳＧ（Closed Subscriber Group）型基地局であって、ユーザの操作を契機として、予め登録されている登録済み移動局からのアクセスを許可する一方、未登録移動局からのアクセスを制限する通常モード、または登録を目的とした未登録移動局からのアクセスを許可する登録モードを切り替える機能と、前記登録モードに切り替えられた状態で、未登録移動局から登録用電話番号による発呼を受信する機能と、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する機能と、前記登録情報を、サーバ装置へ送信する機能と、を備えることを特徴とする。
【０００９】
このように、登録モードに切り替えられた状態で、未登録移動局から登録用電話番号による発呼を受信し、受信した登録用電話番号からの発呼に基づいて、その発呼を行なった未登録移動局の移動局ＩＤを含む移動局情報を抽出し、自局の基地局ＩＤを含む基地局情報と結合させて登録情報を生成し、登録情報を、サーバ装置へ送信するので、ユーザが所望のサーバ装置への所望の移動局の登録を、簡単な操作で行なうことが可能となる。また、未登録移動局の登録に際してパスワード等を利用したセキュリティ設定をする必要がなくなり、利便性が向上する。
【００１０】
（２）また、本発明のＣＳＧ（Closed Subscriber Group）型基地局は、予め登録されていない未登録移動局からのアクセスを制限するＣＳＧ（Closed Subscriber Group）型基地局であって、未登録移動局から登録用電話番号による発呼を受信する機能と、前記発呼を受信した後、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する機能と、ユーザの操作を契機として、前記登録情報をサーバ装置へ送信する機能と、を備えることを特徴とする。
【００１１】
このように、未登録移動局から登録用電話番号による発呼を受信し、発呼を受信した後、受信した登録用電話番号からの発呼に基づいて、その発呼を行なった未登録移動局の移動局ＩＤを含む移動局情報を抽出し、自局の基地局ＩＤを含む基地局情報と結合させて登録情報を生成し、ユーザの操作を契機として、登録情報をサーバ装置へ送信するので、ユーザが所望のサーバ装置への所望の移動局の登録を、簡単な操作で行なうことが可能となる。また、未登録移動局の登録に際してパスワード等を利用したセキュリティ設定をする必要がなくなり、利便性が向上する。
【００１２】
（３）また、本発明のＣＳＧ型基地局において、前記登録情報を前記サーバ装置へ送信する前に、登録確認を要求する旨の登録確認要求情報を管理者端末に送信する機能と、前記管理者端末から登録を許可する旨の登録許可情報を受信した場合にのみ、前記登録情報を、前記サーバ装置へ送信する機能と、を備えることを特徴とする。
【００１３】
このように、管理者端末から登録を許可する旨の登録許可情報を受信した場合にのみ、登録情報を、サーバ装置へ送信するので、セキュリティレベルの向上を図ることが可能となる。
【００１４】
（４）また、本発明のＣＳＧ型基地局において、前記登録モードに切り替えられた状態で、未登録移動局から削除用電話番号、確認用電話番号または変更用電話番号による発呼を受信する機能と、前記受信した削除用電話番号、確認用電話番号または変更用電話番号からの発呼に基づいて、その発呼を行なった未登録移動局の移動局情報を抽出し、基地局情報と結合させて削除情報、確認情報または変更情報を生成する機能と、前記削除情報、確認情報または変更情報を、サーバ装置へ送信する機能と、を備えることを特徴とする。
【００１５】
このように、登録モードに切り替えられた状態で、未登録移動局から削除用電話番号、確認用電話番号または変更用電話番号による発呼を受信し、その受信した削除用電話番号、確認用電話番号または変更用電話番号からの発呼に基づいて、その発呼を行なった未登録移動局の移動局情報を抽出し、基地局情報と結合させて削除情報、確認情報または変更情報を生成し、削除情報、確認情報または変更情報を、サーバ装置へ送信するので、ユーザが所望のサーバ装置における所望の移動局の削除、確認、または変更（登録内容の変更）を、簡単な操作で行なうことが可能となる。また、未登録移動局の登録に際してパスワード等を利用したセキュリティ設定をする必要がなくなり、利便性が向上する。
【００１６】
（５）また、本発明のＣＳＧ型基地局において、未登録移動局から削除用電話番号、確認用電話番号または変更用電話番号による発呼を受信する機能と、前記発呼を受信した後、前記受信した削除用電話番号、確認用電話番号または変更用電話番号からの発呼に基づいて、その発呼を行なった未登録移動局の移動局情報を抽出し、基地局情報と結合させて削除情報、確認情報または変更情報を生成する機能と、ユーザの操作を契機として、前記削除情報、確認情報または変更情報を、サーバ装置へ送信する機能と、を備えることを特徴とする。
【００１７】
このように、未登録移動局から削除用電話番号、確認用電話番号または変更用電話番号による発呼を受信し、その発呼を受信した後、その受信した削除用電話番号、確認用電話番号または変更用電話番号からの発呼に基づいて、その発呼を行なった未登録移動局の移動局情報を抽出し、基地局情報と結合させて削除情報、確認情報または変更情報を生成し、ユーザの操作を契機として、削除情報、確認情報または変更情報を、サーバ装置へ送信するので、ユーザが所望のサーバ装置における所望の移動局の削除、確認、または変更（登録内容の変更）を、簡単な操作で行なうことが可能となる。また、未登録移動局の登録に際してパスワード等を利用したセキュリティ設定をする必要がなくなり、利便性が向上する。
【００１８】
（６）また、本発明のＣＳＧ型基地局は、前記登録モードに切り替えられた状態で、一定時間内に前記発呼を受信しなかった場合は、前記通常モードに切り替える機能を備えることを特徴とする。
【００１９】
このように、登録モードに切り替えられた状態で、一定時間内に前記発呼を受信しなかった場合は、前記通常モードに切り替えるので、セキュリティの向上を図ることが可能となる。
【００２０】
（７）また、本発明のＣＳＧ型基地局は、前記発呼を受信した後、一定時間内に前記ユーザの操作が無かった場合は、前記登録情報の送信を停止する機能を備えることを特徴とする。
【００２１】
このように、発呼を受信した後、一定時間内に前記ユーザの操作が無かった場合は、前記登録情報の送信を停止するので、セキュリティの向上を図ることが可能となる。
【００２２】
（８）また、本発明の制御プログラムは、予め登録されていない未登録移動局からのアクセスを制限するＣＳＧ（Closed Subscriber Group）型基地局の制御プログラムであって、ユーザの操作を契機として、予め登録されている登録済み移動局からのアクセスを許可する一方、未登録移動局からのアクセスを制限する通常モード、または登録を目的とした未登録移動局からのアクセスを許可する登録モードを切り替える処理と、前記登録モードに切り替えられた状態で、未登録移動局から登録用電話番号による発呼を受信する処理と、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する処理と、前記登録情報を、サーバ装置へ送信する処理と、の一連の処理を、前記ＣＳＧ型基地局に実行させることを特徴とする。
【００２３】
このように、登録モードに切り替えられた状態で、未登録移動局から登録用電話番号による発呼を受信し、受信した登録用電話番号からの発呼に基づいて、その発呼を行なった未登録移動局の移動局ＩＤを含む移動局情報を抽出し、自局の基地局ＩＤを含む基地局情報と結合させて登録情報を生成し、登録情報を、サーバ装置へ送信するので、ユーザが所望のサーバ装置への所望の移動局の登録を、簡単な操作で行なうことが可能となる。また、未登録移動局の登録に際してパスワード等を利用したセキュリティ設定をする必要がなくなり、利便性が向上する。
【００２４】
（９）また、本発明の制御プログラムは、予め登録されていない未登録移動局からのアクセスを制限するＣＳＧ（Closed Subscriber Group）型基地局の制御プログラムであって、未登録移動局から登録用電話番号による発呼を受信する処理と、前記発呼を受信した後、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する処理と、ユーザの操作を契機として、前記登録情報をサーバ装置へ送信する処理と、の一連の処理を、前記ＣＳＧ型基地局に実行させることを特徴とする。
【００２５】
このように、未登録移動局から登録用電話番号による発呼を受信し、発呼を受信した後、受信した登録用電話番号からの発呼に基づいて、その発呼を行なった未登録移動局の移動局ＩＤを含む移動局情報を抽出し、自局の基地局ＩＤを含む基地局情報と結合させて登録情報を生成し、ユーザの操作を契機として、登録情報をサーバ装置へ送信するので、ユーザが所望のサーバ装置への所望の移動局の登録を、簡単な操作で行なうことが可能となる。また、未登録移動局の登録に際してパスワード等を利用したセキュリティ設定をする必要がなくなり、利便性が向上する。
【００２６】
（１０）また、本発明の集積回路は、ＣＳＧ（Closed Subscriber Group）型基地局に実装されることにより、前記ＣＳＧ型基地局に複数の機能を発揮させる集積回路であって、ユーザの操作を契機として、予め登録されている登録済み移動局からのアクセスを許可する一方、未登録移動局からのアクセスを制限する通常モード、または登録を目的とした未登録移動局からのアクセスを許可する登録モードを切り替える機能と、前記登録モードに切り替えられた状態で、未登録移動局から登録用電話番号による発呼を受信する機能と、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する機能と、前記登録情報を、サーバ装置へ送信する機能と、の一連の機能を、前記ＣＳＧ型基地局に発揮させることを特徴とする。
【００２７】
このように、登録モードに切り替えられた状態で、未登録移動局から登録用電話番号による発呼を受信し、受信した登録用電話番号からの発呼に基づいて、その発呼を行なった未登録移動局の移動局ＩＤを含む移動局情報を抽出し、自局の基地局ＩＤを含む基地局情報と結合させて登録情報を生成し、登録情報を、サーバ装置へ送信するので、ユーザが所望のサーバ装置への所望の移動局の登録を、簡単な操作で行なうことが可能となる。また、未登録移動局の登録に際してパスワード等を利用したセキュリティ設定をする必要がなくなり、利便性が向上する。
【００２８】
（１１）また、本発明の集積回路は、ＣＳＧ（Closed Subscriber Group）型基地局に実装されることにより、前記ＣＳＧ型基地局に複数の機能を発揮させる集積回路であって、未登録移動局から登録用電話番号による発呼を受信する機能と、前記発呼を受信した後、前記受信した登録用電話番号からの発呼に基づいて、その発呼を行なった未登録移動局の移動局ＩＤを含む移動局情報を抽出し、自局の基地局ＩＤを含む基地局情報と結合させて登録情報を生成する機能と、ユーザの操作を契機として、前記登録情報をサーバ装置へ送信する機能と、の一連の機能を、前記ＣＳＧ型基地局に発揮させることを特徴とする。
【００２９】
このように、未登録移動局から登録用電話番号による発呼を受信し、発呼を受信した後、受信した登録用電話番号からの発呼に基づいて、その発呼を行なった未登録移動局の移動局ＩＤを含む移動局情報を抽出し、自局の基地局ＩＤを含む基地局情報と結合させて登録情報を生成し、ユーザの操作を契機として、登録情報をサーバ装置へ送信するので、ユーザが所望のサーバ装置への所望の移動局の登録を、簡単な操作で行なうことが可能となる。また、未登録移動局の登録に際してパスワード等を利用したセキュリティ設定をする必要がなくなり、利便性が向上する。
【発明の効果】
【００３０】
本発明によれば、ＣＳＧへの移動局の登録がエンドユーザによる簡便な方法で実現できる。その際に、エンドユーザは移動局のＩＤ、ＨＮＢの基地局ＩＤ等の情報を知る必要が無く、またＨＮＢ加入契約のパスワード等を利用したセキュリティ設定の必要も無い。その結果、ユーザの利便性を向上させることが可能となる。
【図面の簡単な説明】
【００３１】
【図１】本発明の移動体通信システム構成の関連を表すブロック図である。
【図２】本発明の第１の実施形態において、移動局２０をＨＳＳ４０に登録する手順例を示すシーケンスチャートである。
【図３】本発明の第２の実施形態において、移動局２０をＨＳＳ４０に登録する手順例を示すシーケンスチャートである（ボタン操作が登録認証である例）。
【図４】本発明の第３の実施形態において、移動局２０をＨＳＳ４０に登録する手順例を示すシーケンスチャートである（管理加入者50の確認手順を加えた例）。
【図５】本発明の第３の実施形態において、移動局２０をＨＳＳ４０に登録する手順例を示す別のシーケンスチャートである（管理加入者50の確認手順を加えた例）。
【図６】本発明の第４の実施形態において、ＣＳＧ登録済みの移動局２０をＣＳＧから削除する手順例を示すシーケンスチャートである。
【図７】本発明の第５の実施形態において、ＣＳＧの登録情報確認や修正を行なう手順例を示すシーケンスチャートである。
【図８】本発明の第５の実施形態において、ＨＳＳ４０のデータベースを移動局２０に対してアクセス可能とし、登録情報確認や修正を行なう別のシーケンスチャートである。
【発明を実施するための形態】
【００３２】
あらかじめ登録された移動局のみにアクセスを制限するＨＮＢ（Home Node B）のＣＳＧ（Closed Subscriber Group）への移動局の登録を簡便に行なう機構と方法を提案する。以下、本発明の実施形態について、添付図面を参照して詳細に説明する。
【００３３】
図１は、本発明の移動体通信システム構成の関連を表すブロック図である。図１に示すように、ユーザ１０は、移動局２０に対して操作が可能であり、また、ＨＮＢ３０の設置施設内でＨＮＢ３０に対しても操作が可能である。移動局２０とＨＮＢ３０は無線信号の送受信が可能である。ホーム加入者サーバ（Home Subscriber Server、以下HSS）４０は、この移動通信システム内で加入者情報を管理するデータベースであり、ＨＮＢ３０にとってのアクセス可能なＣＳＧのリストもＨＳＳ４０で管理されているものとする。
【００３４】
なお、本発明によるＨＮＢ３０は、ユーザ１０による操作、表示確認の為にボタン３１とランプ３２を持つ。ただし、これは説明の簡略のための一例であって、ボタン３１はユーザ１０からの何らかの形での指示を受け取る事ができる機能、ランプ３２はユーザ１０に何らかの状態の表示ができる機能であれば、本発明の本質に合致する。
【００３５】
（第１の実施形態）
第１の実施形態では、これまでＣＳＧに登録されていなかった移動局２０をＣＳＧに登録するに際し、まずＨＮＢ３０のボタン３１を操作して、ＨＮＢ３０を移動局２０の登録の為の特殊な動作モードにする。ＨＮＢ３０は、通常はＣＳＧとして登録されていない移動局２０のアクセスを受け付けないが、この動作モードでは、ＨＮＢ３０内の登録機能に対応する特定の電話番号での発呼を受け入れる。ＨＮＢ３０は移動局２０の登録の為の特殊な動作モードにおいてあらかじめ決められた特定の電話番号での発呼を受信すると、そのアクセスから、移動局２０の移動局ＩＤなどを含む移動局情報を抽出し、基地局情報をと併せてＨＳＳ４０へ登録する。
【００３６】
図２は、本発明の第１の実施形態において、移動局２０をＨＳＳ４０に登録する手順例を示すシーケンスチャートである。ユーザ１０はこれまでＣＳＧに登録されていなかった移動局２０をＨＮＢ３０に登録するに際し、まずＨＮＢ３０のボタン３１を操作して、ＨＮＢ３０を移動局２０の登録用の特殊な動作モードにする（ステップＳ１０１）。ＨＮＢ３０は、通常はＣＳＧとして登録されていない移動局２０のアクセスを受け付けないが、この動作モードではＨＮＢ３０は、登録機能のために用意された特定の電話番号での発呼を受け入れる。また、この動作モードに入った事を示すために、ランプ３２を点灯し、ユーザ１０に対して特殊な動作モードである事を示す（ステップＳ１０３）。なお、この特殊な動作モードは一定期間内に、後述する発呼を受信しなかった場合にタイムアウトし、通常の動作状態に戻る事も考えられる。
【００３７】
ユーザ１０はボタン操作（ステップＳ１０１）に対して発生するランプ表示（ステップＳ１０３）を確認した後、移動局２０からあらかじめ決められた特定の電話番号に対して発呼操作を行なう（ステップＳ１０５）。あらかじめ決められた特定の電話番号は通常の通話の用途のものと異なっていれば良く、ＨＮＢ３０の設計で任意であるが、説明のため例えば「＃１１」などと決められているものとする。移動局２０はこの特定の電話番号への発呼操作（ステップＳ１０５）を受けて、ＨＮＢ３０に発呼を行なう（ステップＳ１０７）。発呼操作（ステップＳ１０５）では、ＨＮＢ３０の筐体または付属のマニュアル等に記載のＨＮＢ３０の固有のＩＤをキーとして含むことも考えられる。
【００３８】
ＨＮＢ３０は移動局２０登録の為の特殊な動作モードにおいてあらかじめ決められた特定の電話番号での発呼（ステップＳ１０７）を受信すると、そのアクセスから、移動局２０の移動局ＩＤなどを含む移動局情報を抽出する（ステップＳ１０９）。また、ＨＮＢ３０自身の基地局ＩＤ等を含む基地局情報を準備し（ステップＳ１１１）、これを移動局情報と併せてＨＳＳ４０への登録情報を構成し（ステップＳ１１３）、この登録情報を登録する（ステップＳ１１５）。ＨＮＢ３０は、これらの一連の手順が終了した後、動作モードを通常に戻し、ランプ３２を消灯する。
【００３９】
ＨＳＳ４０は登録情報を受信すると、内部の加入者情報データベースを更新し、与えられた基地局ＩＤのＨＮＢ３０のＣＳＧリストに与えられた移動局ＩＤの移動局２０を追加する。加入者情報データベースはＨＮＢ３０から参照され、その更新後は移動局２０からのアクセスを受付けるようになる。
【００４０】
第１の実施形態では、移動局２０が登録の為にアクセスする際にアクセス制限を解除するためのボタン３１を、ＨＮＢ３０に設け、新しく移動局２０を登録する際に、この機能によってアクセス制限を解除した状態で、ＨＮＢ３０の登録機能に対応する特定の電話番号に発呼することで、ネットワーク内のＨＳＳ４０の、このＨＮＢ３０へのアクセス可能な移動局２０のリストに、発呼した移動局２０を追加する。その際に、ＨＳＳ４０には、発呼した移動局２０のＩＤ、経由したＨＮＢ３０の基地局ＩＤといった情報が提供できるため、ユーザ１０がこれらの情報を設定する必要がなくなる。また、この手順がＨＮＢ３０の筐体に配置されたボタン３１を制御することを必要とするため、移動局２０の登録に際してパスワード等を利用したセキュリティ設定をする必要がなくなる。その結果、ユーザの利便性を向上させることが可能となる。
【００４１】
（第２の実施形態）
第１の実施形態では、ユーザ１０によるＨＮＢ３０に対するボタン操作により、ＨＮＢ３０を移動局２０の登録用の特殊な動作モードにすることで、移動局２０のＣＳＧへの登録を容易にした。第２の実施形態では、ユーザ１０によるＨＮＢ３０に対するボタン操作を登録操作に対する認証と位置づける。すなわち、図１におけるＨＮＢ３０内のボタン３１の機能が第１の実施形態と異なる。
【００４２】
図３は、本発明の第２の実施形態において、移動局２０をＨＳＳ４０に登録する手順例を示すシーケンスチャートである（ボタン操作が登録認証である例）。ユーザ１０は、最初に移動局２０からあらかじめ決められた特定の電話番号でＨＮＢ３０に対して発呼操作を行なう（ステップＳ２０１）。ＨＮＢ３０はＣＳＧセルであり登録前の移動局２０からの通常のアクセスは受け付けないが、この特定の電話番号でのアクセスのみは常に受け付けるものとする。発呼操作（ステップＳ２０１）では、ＨＮＢ３０の筐体または付属のマニュアル等に記載のＨＮＢ３０の固有のＩＤをキーとして含むことも考えられる。
【００４３】
ＨＮＢ３０は、発呼（ステップＳ２０３）を受信すると、移動局２０の登録を認証するかどうかをユーザ１０に確認させるために、ランプ３２を点灯し、ユーザ１０によるボタン操作を促す（ステップＳ２０５）。また、ＨＮＢ３０は、移動局２０のアクセスから、移動局２０の移動局ＩＤなどを含む移動局情報を抽出する（ステップＳ２０７）。また、ＨＮＢ３０自身の基地局ＩＤ等を含む基地局情報を準備し（ステップＳ２０９）、これを移動局情報と併せてＨＳＳ４０への登録情報を構成する（ステップＳ２１１）。移動局２０の登録を認証する場合、ユーザ１０はボタン操作を行なう（ステップＳ２１３）。なお、一定期間内にボタン操作（ステップＳ２１３）が無く、ユーザ１０による移動局２０の登録の認証が確認でき無かった場合には、ＨＮＢ３０は、認証確認の処理をタイムアウトし、登録を取りやめて通常の動作状態に戻る事も考えられる。ユーザ１０によるボタン操作（ステップＳ２１３）の後、ＨＮＢ３０はＨＳＳ４０に対して登録情報をＨＳＳ４０に登録する（ステップＳ２１５）。ＨＮＢ３０は、これらの一連の手順が終了した後、動作モードを通常に戻し、ランプ３２を消灯する。
【００４４】
第２の実施形態では、ユーザ１０によるＨＮＢ３０に対するボタン操作を登録操作に対する認証と位置づける。これにより、ユーザ１０が、登録認証にＨＮＢ３０の筐体に配置されたボタン３１を制御することを必要とするため、移動局２０の登録に際してパスワード等を利用したセキュリティ設定をする必要がなくなる。その結果、ユーザ１０の利便性を向上させることが可能となる。
【００４５】
（第３の実施形態）
上記第１の実施形態、第２の実施形態で、ＨＮＢ３０の設置された建物内において、ＨＮＢ３０の筐体に配置されたボタン３１等の操作を手順に含むだけでも、セキュリティは十分に保てると思われるが、さらに、追加の確認手順として、ＨＮＢ３０に関連付けられた管理加入者５０宛に、メール、音声通話他の手段で登録を承認するか否かを確認する手順が含まれる事も考えられる。すなわち、第３の実施形態のボタン３１、ランプ３２等の機能は第２の実施形態とほぼ同等である。
【００４６】
図４は、本発明の第３の実施形態において、移動局２０をＨＳＳ４０に登録する手順例を示すシーケンスチャートである（管理加入者５０の確認手順を加えた例）。図４は、第２の実施形態に管理加入者５０による追加手順を加えた場合の例を図示したものである。ユーザ１０は、最初に移動局２０からあらかじめ決められた特定の電話番号でＨＮＢ３０に対して発呼操作を行なう（ステップＳ３０１）。ＨＮＢ３０は、発呼を受信すると（ステップＳ３０３）、移動局２０の登録を認証するかどうかをユーザ１０に確認させるために、ランプ３２を点灯し、ユーザ１０によるボタン操作を促す（ステップＳ３０５）。また、ＨＮＢ３０は、移動局２０のアクセスから、移動局２０の移動局ＩＤなどを含む移動局情報を抽出し（ステップＳ３０７）、また、ＨＮＢ３０自身の基地局ＩＤ等を含む基地局情報を準備し（ステップＳ３０９）、これを移動局情報と併せてＨＳＳ４０への登録情報を構成する（ステップＳ３１１）。
【００４７】
移動局２０の登録を認証する場合、ユーザ１０はボタン操作を行なう（ステップＳ３１３）。なお、一定期間内にボタン操作（ステップＳ３１３）が無く、ユーザ１０による移動局２０の登録の認証が確認でき無かった場合には、ＨＮＢ３０は、認証確認の処理をタイムアウトし、登録を取りやめて通常の動作状態に戻る事も考えられる。ユーザ１０によるボタン操作（ステップＳ３１３）の後、ＨＮＢ３０はさらに管理加入者５０に対し新規の移動局２０の登録があったことを通知し、これを認めるかどうかを確認する（ステップＳ３１５）。管理加入者５０が確認応答を返した場合には（ステップＳ３１７）、ＨＮＢ３０は、ＨＳＳ４０に対して登録情報をＨＳＳ４０に送信し移動局２０をＣＳＧに登録する（ステップＳ３１９）。ＨＮＢ３０は、これらの一連の手順が終了した後、動作モードを通常に戻し、ランプ３２を消灯する。
【００４８】
また、本発明の第３の実施形態において、管理加入者５０による確認手順はＨＳＳ４０によって行われる事も考えられる。図５は、本発明の第３の実施形態において、移動局２０をＨＳＳ４０に登録する手順例を示す別のシーケンスチャートである（管理加入者５０の確認手順を加えた例）。図５は、第２の実施形態による登録手順の後、管理加入者５０による追加の確認手順がＨＳＳ４０によって行われる場合の例を図示したものである。第２の実施形態でのＨＮＢ３０からＨＳＳ４０に対しての登録（ステップＳ４０１）の後、ＨＳＳ４０は、管理加入者５０に対し新規の移動局２０の登録があったことを通知し、これを認めるかどうかを確認する（ステップＳ４０３）。管理加入者５０が確認応答を返した場合には（ステップＳ４０５）、ＨＳＳ４０は認証が完了したものとして、登録を受理し、ステップＳ４０１でのＨＮＢ３０からの登録に基づき、ＨＳＳ４０のデータベースを更新する（ステップＳ４０７）。なお、一定期間内に管理加入者５０からの確認応答を受信しなかった場合には、ステップＳ４０１でのＨＮＢ３０からの登録を破棄し、データベースの更新を行わない。
【００４９】
第３の実施形態では、さらに、追加の確認手順として、ＨＮＢ３０に関連付けられた管理加入者５０宛に、メール、音声通話他の手段で登録を承認するか否かを確認する手順が含まれる。これにより、セキュリティのレベルが高まる。
【００５０】
（第４の実施形態）
上記第１の実施形態、第２の実施形態、第３の実施形態では、これまでＣＳＧに属していなかった移動局２０のＣＳＧへの登録の手順を説明したが、ＣＳＧに登録済みの移動局２０のＣＳＧからの削除も同様の手順で実施できる。その際には、ＨＮＢ３０に対して発呼する際の電話番号としてＨＮＢ３０内の登録機能に対応する特定の電話番号とは異なる、各機能に対応する電話番号を用意することが考えられる。これらの電話番号は通常の通話の用途のものと異なっていれば良く、ＨＮＢ３０の設計で任意であるが、説明のため例えば登録を「＃１１」、削除を「＃１２」などと決められているものとする。第４の実施形態に係るＨＮＢ３０の構成は、図１におけるＨＮＢ３０内のボタン３１、ランプ３２の機能が第１〜第３の実施形態と異なる。
【００５１】
図６は、本発明の第４の実施形態において、ＣＳＧ登録済みの移動局２０をＣＳＧから削除する手順例を示すシーケンスチャートである。図６は、第２の実施形態と同様な手順により、ＨＮＢ３０がＣＳＧから移動局２０を削除する例を図示したものである。ユーザ１０は、最初に移動局２０からあらかじめ決められた特定の電話番号でＨＮＢ３０に対して発呼操作を行なう（ステップＳ５０１）。ＨＮＢ３０は、発呼を受信すると（ステップＳ５０３）、移動局２０の削除を認証するかどうかをユーザ１０に確認させるために、ランプ３２を点灯し、ユーザ１０によるボタン操作を促す（ステップＳ５０５）。また、ＨＮＢ３０は、移動局２０のアクセスから、移動局２０の移動局ＩＤなどを含む移動局情報を抽出し（ステップＳ５０７）、また、ＨＮＢ３０自身の基地局ＩＤ等を含む基地局情報を準備し（ステップＳ５０９）、これを移動局情報と併せてＨＳＳ４０への削除情報を構成する（ステップＳ５１１）。
【００５２】
移動局２０の削除を認証する場合、ユーザ１０はボタン操作を行なう（ステップＳ５１３）。なお、一定期間内にボタン操作（ステップＳ５１３）が無く、ユーザ１０による移動局２０の削除の認証が確認でき無かった場合には、ＨＮＢ３０は、認証確認の処理をタイムアウトし、削除を取りやめて通常の動作状態に戻る事も考えられる。ユーザ１０によるボタン操作（ステップＳ５１３）の後、ＨＮＢ３０はＨＳＳ４０に対して削除情報をＨＳＳ４０に送信し移動局２０をＣＳＧから削除する（ステップＳ５１５）。ＨＮＢ３０は、これらの一連の手順が終了した後、動作モードを通常に戻し、ランプ３２を消灯する。
【００５３】
第４の実施形態では、ＣＳＧに登録済みの移動局２０のＣＳＧからの削除を第２の実施形態の手順で実施できる。これにより、ＨＮＢ３０は、移動局２０のＣＳＧへの登録のみならず削除も容易に行なうことができる。その結果、ユーザ１０の利便性を向上させることが可能となる。
【００５４】
（第５の実施形態）
上記第１の実施形態、第２の実施形態、第３の実施形態では、これまでＣＳＧに属していなかった移動局２０のＣＳＧへの登録の手順を説明したが、現在のＣＳＧの登録状況の確認や、内容の一部の修正も同様の手順で実施できる。その際には、ＨＮＢ３０に対して発呼する際の電話番号としてＨＮＢ３０内の登録機能に対応する特定の電話番号とは異なる、各機能に対応する電話番号を用意することが考えられる。これらの電話番号は通常の通話の用途のものと異なっていれば良く、ＨＮＢ３０の設計で任意であるが、説明のため例えば登録を「＃１１」、確認、変更を「＃１３」などと決められているものとする。第５の実施形態に係るＨＮＢ３０の構成は、図１におけるＨＮＢ３０内のボタン３１、ランプ３２の機能が第１〜第４の実施形態と異なる。
【００５５】
図７は、本発明の第５の実施形態において、ＣＳＧの登録情報確認や修正を行なう手順例を示すシーケンスチャートである。図７は、第２の実施形態と同様の手順により、ＨＮＢ３０がＣＳＧにおける移動局２０の登録情報について確認や修正を行なう例を図示したものである。ユーザ１０は、最初に移動局２０からあらかじめ決められた特定の電話番号でＨＮＢ３０に対して発呼操作を行なう（ステップＳ６０１）。ＨＮＢ３０は、発呼を受信すると（ステップＳ６０３）、移動局２０の登録情報の確認や修正を認証するかどうかをユーザ１０に確認させるために、ランプ３２を点灯し、ユーザ１０によるボタン操作を促す（ステップＳ６０５）。また、ＨＮＢ３０は、移動局２０のアクセスから、移動局２０の移動局ＩＤなどを含む移動局情報を抽出し（ステップＳ６０７）、また、ＨＮＢ３０自身の基地局ＩＤ等を含む基地局情報を準備し（ステップＳ６０９）、これを移動局情報と併せてＨＳＳ４０への登録情報の表示・変更用の情報を構成する（ステップＳ６１１）。
【００５６】
移動局２０の登録情報の確認や修正を認証する場合、ユーザ１０はボタン操作を行なう（ステップＳ６１３）。なお、一定期間内にボタン操作（ステップＳ６１３）が無く、ユーザ１０による移動局２０の登録情報の確認や修正に関する認証が確認できなかった場合には、ＨＮＢ３０は、認証確認の処理をタイムアウトし、登録情報の確認や修正を取りやめて通常の動作状態に戻る事も考えられる。ユーザ１０によるボタン操作（ステップＳ６１３）の後、ＨＮＢ３０は登録内容の確認、変更動作に入る。ＨＮＢ３０は、ユーザ１０からの登録状況の表示要求を受け（ステップＳ６１５−１）、ＨＳＳ４０の登録情報を参照する（ステップＳ６１７−１）。ＨＳＳ４０は、登録状況をＨＮＢ３０に送信し（ステップＳ６１９−１）、ＨＮＢ３０は、ユーザ１０に登録状況を提供する（ステップＳ６２１−１）。またユーザ１０からの内容変更要求に応じて（ステップＳ６１５−２）、ＨＮＢ３０は、変更情報をＨＳＳ４０に送信し（ステップＳ６１７−２）、ＨＳＳ４０は、登録内容を変更し、ＨＮＢ３０へ変更結果を送信する（ステップＳ６１９−２）。ＨＮＢ３０は、変更後の登録内容をユーザ１０に表示する（ステップＳ６２１−２）。ユーザ１０に対する表示は、例えば音声ガイダンスやメールなど様々な方法が考えられる。
【００５７】
第５の実施形態では、現在のＣＳＧの登録状況の確認や、内容の一部の修正も第２の実施形態と同様の手順で実施できる。これにより、ユーザ１０は、移動局２０のＣＳＧへの登録情報を容易に確認、変更することができる。その結果、ユーザ１０の利便性を向上させることが可能となる。
【００５８】
また、本発明の第５の実施形態において、ＣＳＧの登録情報確認や修正を行なう手順はＨＳＳ４０によって行われる事も考えられる。図８は、本発明の第５の実施形態において、ＨＳＳ４０のデータベースを移動局２０に対してアクセス可能とし、登録情報確認や修正を行なう別のシーケンスチャートである。ユーザ１０によるボタン操作（ステップＳ６１３）の後、ＨＮＢ３０はＨＳＳ４０に対し、移動局２０によるセキュアなデータベースアクセス要求があった事を伝える（ステップＳ７０１）。ＨＳＳ４０は移動局２０に対して、例えばメールでのセキュアなデータベースアクセスの為のＵＲＬ送信などの手段を用いて、移動局２０によるデータベースアクセスを許可する（ステップＳ７０３）。移動局２０は、ユーザー１０に対してＵＲＬの表示を行なう（ステップＳ７０５）。この後、ユーザ１０は提供されたセキュアなデータベースアクセスの為のＵＲＬへのアクセスなどにより、直接データベースへのアクセスが可能となり（ステップＳ７０７）、ＨＳＳ４０は、ユーザ１０に対して登録状況を表示する（ステップＳ７０９）。ユーザ１０からの内容変更要求に応じて（ステップＳ７１１−１）、ＨＳＳ４０は登録内容を変更し（ステップＳ７１３−１）、ユーザ１０へ変更結果を送信する（ステップＳ７１５−１）。また、ＨＳＳ４０は、ユーザ１０からの登録状況の表示要求（ステップＳ７１１−２）を受け、ＨＳＳ４０の登録情報を表示する（ステップＳ７１３−２）。
【００５９】
（第６の実施形態）
上記実施形態のように移動局２０のＣＳＧへの登録を簡便にする事により、ＣＳＧにアクセス可能な移動局２０が動的に管理可能となる。しかし、その際には、一つのＣＳＧに登録可能な移動局数の上限が課題となる事も考えられる。第６の実施形態では、上記第１の実施形態、第２の実施形態、第３の実施形態の登録処理において、既に登録されている移動局２０の数が上限に達していた際に、新規登録を中止したり、登録済みの移動局２０の中から削除する移動局２０を選ぶなどの追加の処理内容について説明する。
【００６０】
登録可能な移動局数の上限に達している状態で、新規登録する際に、まず考えられるのは、
（１）移動局２０の登録を中止する。
であるが、既登録の移動局２０を登録から解除する方法としては以下が考えられる。
（２）直近にＨＮＢ３０を利用した移動局２０から順に高い優先順位を与え、優先順位の低かった移動局２０を削除する。
（３）登録順序が最も古いものから最も新しいものへ、もしくは登録順序が最も新しいものから最も古いものへなど、移動局２０に対して、登録した時間順に高い優先順位を与え、優先順位の低かった移動局２０を削除する。
（４）最も多い回数登録した移動局２０など、登録した回数順に高い優先順位を与え、優先順位の低かった移動局２０を削除する。
（５）解除可能な移動局２０と、解除されない移動局２０の２つのクラスを設け、解除可能な移動局２０に対して上記（３）、（４）の様な選択を行なう。上記の２つのクラスは、例えば登録用の電話番号として異なる２種類を用意するなどして登録の際に決定しても良い。
【００６１】
第６の実施形態では、登録処理において、既に登録されている移動局２０の数が上限に達していた際に、新規登録を中止し、または、登録済みの移動局２０の中から削除する移動局２０を選ぶなどの追加の処理を行なう。これにより、登録可能な移動局数の上限に対して、適切に移動局２０のＨＳＳ４０への登録を行なうことができる。
【００６２】
本発明に関わる移動局２０、ＨＮＢ３０およびＨＳＳ４０で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。
【００６３】
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。
【００６４】
また、上述した実施形態における移動局２０、ＨＮＢ３０およびＨＳＳ４０の一部、または全部を典型的には集積回路であるＬＳＩとして実現してもよい。移動局２０、ＨＮＢ３０およびＨＳＳ４０の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【符号の説明】
【００６５】
１０  ユーザ
２０  移動局
３０  ＨＮＢ
３１  ボタン
３２  ランプ
４０  ＨＳＳ
５０  管理加入者
【図１】
0005955514.tif 000002
【図２】
0005955514.tif 000003
【図３】
0005955514.tif 000004
【図４】
0005955514.tif 000005
【図５】
0005955514.tif 000006
【図６】
0005955514.tif 000007
【図７】
0005955514.tif 000008
【図８】
0005955514.tif 000009